(57)【要約】  システム、方法および装置が説明される。伝送ライン６０６から受信された無線周波数（ＲＦ）信号が、共通ゲート増幅回路６２４内のトランジスタ６２４ａのソースに提供される。ソースに接続される直列共振６３２、６３４は、ＲＦ信号内の干渉ＲＦ成分に対する接地への低インピーダンス経路を提供する。直列共振６３２、６３４は、対象周波数を中心にした周波数帯域に高いインピーダンスを提供し、対象周波数を中心にした周波数帯域外の干渉ＲＦ成分を分路するように同調される。干渉ＲＦ成分は、対象周波数の高調波を含むことができる。【選択図】図６
2016532383.tif 000002
【特許請求の範囲】
【請求項１】
低雑音増幅器であって、
伝送ラインから無線周波数（ＲＦ）信号を受信するように構成されるソースを有する金属酸化膜半導体電界効果トランジスタ（ＭＯＳＦＥＴ）を含む共通ゲート増幅回路と、
前記ＭＯＳＦＥＴの前記ソースに接続され、インダクタンスと直列に接続されるキャパシタンスを備える直列共振と
を備え、前記直列共振は、前記ＲＦ信号内の干渉ＲＦ成分に対する、接地への低インピーダンス経路を提供する、
低雑音増幅器。
【請求項２】
前記直列共振は、対象周波数を中心にした周波数帯域に高いインピーダンスを提供するように同調される、
請求項１に記載の低雑音増幅器。
【請求項３】
前記干渉ＲＦ成分は、前記対象周波数を中心にした前記周波数帯域外の周波数によって特徴付けられる、
請求項２に記載の低雑音増幅器。
【請求項４】
前記干渉ＲＦ成分は、前記対象周波数を中心にした前記周波数帯域内の周波数の高調波を備える、
請求項２に記載の低雑音増幅器。
【請求項５】
前記直列共振は、前記ＲＦ信号内の複数の干渉する可能性があるＲＦ成分のうちの１つをターゲットとするように同調可能である、
請求項２に記載の低雑音増幅器。
【請求項６】
前記対象周波数を中心にした前記周波数帯域は、第１の無線アクセスネットワークに関連付けられる周波数帯域に対応し、前記干渉ＲＦ成分は、第２の無線アクセスネットワークによって送信される信号を含む、
請求項２に記載の低雑音増幅器。
【請求項７】
前記第２の無線アクセスネットワークによって送信される前記信号は、前記対象周波数を中心にした前記周波数帯域内の周波数の高調波であるキャリア信号を含む、
請求項６に記載の低雑音増幅器。
【請求項８】
前記第２の無線アクセスネットワークは、ワイヤレスフィデリティ（ＷｉＦｉ（登録商標））ネットワークを備える、
請求項７に記載の低雑音増幅器。
【請求項９】
前記共通ゲート増幅回路の出力は、前記対象周波数に対応する局部発振器周波数を用いてダウンコンバートされ、前記干渉ＲＦ成分は、前記局部発振器周波数の高調波である周波数を有する信号を含む、
請求項２に記載の低雑音増幅器。
【請求項１０】
前記対象周波数を中心にした前記周波数帯域外の周波数の利得を低減するように構成される並列共振、
請求項２に記載の低雑音増幅器。
【請求項１１】
前記並列共振は、前記直列共振によってターゲットとされた干渉ＲＦ成分とは異なる、前記ＲＦ信号内の干渉ＲＦ成分をターゲットとする、
請求項１０に記載の低雑音増幅器。
【請求項１２】
前記直列共振は、前記ＭＯＳＦＥＴの前記ソースに接続される複数の直列共振のうちの１つであり、各直列共振は、前記ＲＦ信号内の異なる干渉ＲＦ成分に対する、接地への低インピーダンス経路を提供するように同調される、
請求項１に記載の低雑音増幅器。
【請求項１３】
ワイヤレス通信の方法であって、
アンテナから受信された無線周波数（ＲＦ）信号を共通ゲート増幅回路の入力に提供すること、ここにおいて、前記ＲＦ信号は、周波数帯域および干渉ＲＦ成分内に符号化された情報を含む、と、
前記干渉ＲＦ成分を、前記共通ゲート増幅回路の前記入力に結合される共振回路を通じて接地に分路することと、
前記周波数帯域を前記共通ゲート増幅回路に渡すことと
を備える、ワイヤレス通信の方法。
【請求項１４】
前記共振回路は、インダクタンスに直列に接続されるキャパシタンスを含む、
請求項１３に記載の方法。
【請求項１５】
前記キャパシタンスおよび前記インダクタンスは、前記共振回路が、前記干渉ＲＦ成分に対応する周波数に対する接地への低インピーダンス経路を提供するように選択された値を有する、
請求項１４に記載の方法。
【請求項１６】
前記干渉ＲＦ成分は、前記周波数帯域をダウンコンバートするために用いられる局部発振器の高調波である周波数を有する信号を含む、
請求項１４に記載の方法。
【請求項１７】
前記共振回路は、前記ＲＦ信号内の複数の干渉する可能性があるＲＦ成分のうちの１つをターゲットとするように同調可能である、
請求項１４に記載の方法。
【請求項１８】
前記アンテナから受信された前記ＲＦ信号を前記共通ゲート増幅回路の前記入力に提供することは、
電流増幅器で前記ＲＦ信号を増幅すること、ここにおいて、前記電流増幅器の出力は、伝送ラインの第１の端部に提供される、と、
前記電流増幅器内のトランジスタのソース端子に結合される並列共振を用いて前記ＲＦ信号をフィルタリングすることと
を含む、請求項１３に記載の方法。
【請求項１９】
前記共通ゲート増幅回路の前記入力は、前記伝送ラインの第２の端部に結合される、
請求項１８に記載の方法。
【請求項２０】
前記並列共振は、前記アンテナから前記ＲＦ信号を受信する入力ポートのインピーダンス整合を提供するように構成されるデジェネレイションインダクタンスと並列に接続される第２のキャパシタンスを備える、
請求項１９に記載の方法。
【請求項２１】
前記並列共振は、前記共通ゲート増幅回路の前記入力に結合される前記共振回路によってターゲットとされる干渉ＲＦ成分とは異なる、前記ＲＦ信号内の干渉ＲＦ成分をターゲットとする、
請求項１８に記載の方法。
【請求項２２】
前記周波数帯域は、第１の無線アクセスネットワークによって第１のキャリア上で送信され、前記干渉ＲＦ成分は、第２の無線アクセスネットワークにおいて送信される信号に関連付けられる、
請求項１３に記載の方法。
【請求項２３】
前記第２の無線アクセスネットワークは、ワイヤレスフィデリティ（ＷｉＦｉ）ネットワークを備える、
請求項２２に記載の方法。
【請求項２４】
前記干渉ＲＦ成分は、ＷｉＦｉネットワークから受信された帯域外ブロッカ信号を備える、
請求項２３に記載の方法。
【請求項２５】
前記帯域外ブロッカ信号は、ＲＦキャリアの２次高調波において送信される、
請求項２４に記載の方法。
【請求項２６】
複数の共振回路が、前記共通ゲート増幅回路の前記入力に結合され、前記複数の共振回路はそれぞれ、前記ＲＦ信号内の異なる干渉ＲＦ成分に対する接地への低インピーダンス経路を提供するように同調される、
請求項１３に記載の方法。
【請求項２７】
無線周波数（ＲＦ）受信機であって、
アンテナから受信されたＲＦ信号を増幅するための手段、ここにおいて、前記ＲＦ信号は、共通ゲート増幅回路の入力において受信され、前記ＲＦ信号は、周波数帯域内に符号化された情報を含む、と、
前記ＲＦ信号の干渉ＲＦ成分を接地に分路するための手段、ここにおいて、前記分路するための手段は、前記共通ゲート増幅回路の入力に結合される共振回路を含む、と
を備え、前記増幅するための手段は、前記周波数帯域をダウンコンバートするために用いられる混合回路に前記ＲＦ信号の増幅されたバージョンを提供するように構成される、
無線周波数（ＲＦ）受信機。
【請求項２８】
前記共振回路は、前記共通ゲート増幅回路内のトランジスタのソースに結合され、インダクタンスと直列に接続されるキャパシタンスを備える、
請求項２７に記載の受信機。
【請求項２９】
前記キャパシタンスおよび前記インダクタンスは、前記共振回路が、前記干渉ＲＦ成分に対応する周波数に対する接地への低インピーダンス経路を提供するように選択された値を有する、
請求項２８に記載の受信機。
【請求項３０】
前記干渉ＲＦ成分は、前記混合回路の局部発振器の高調波にある周波数を有する信号を含む、
請求項２８に記載の受信機。
【請求項３１】
前記共通ゲート増幅回路の前記入力に前記ＲＦ信号を搬送するために用いられる伝送ラインの前に、前記ＲＦ信号をフィルタリングするための手段をさらに備える、
請求項２７に記載の受信機。
【請求項３２】
前記伝送ラインの前に、前記ＲＦ信号をフィルタリングするための前記手段は、並列共振を含む、
請求項３１に記載の受信機。
【請求項３３】
前記並列共振は、前記伝送ラインをドライブする共通ソース低雑音増幅器のソース端子に設けられる、
請求項３２に記載の受信機。
【請求項３４】
前記並列共振は、入力ポートのインピーダンス整合を提供するように構成されるデジェネレイションインダクタンスと並列に接続される第２のキャパシタンスを備える、
請求項３２に記載の受信機。
【請求項３５】
前記並列共振は、分路するための前記手段によってターゲットとされた干渉ＲＦ成分とは異なる、前記ＲＦ信号内の干渉ＲＦ成分をターゲットとする、
請求項３２に記載の受信機。
【請求項３６】
前記周波数帯域は、第１の無線アクセスネットワークによって第１のキャリア上で送信され、前記干渉ＲＦ成分は、第２の無線アクセスネットワークにおいて送信される信号に関連付けられる、
請求項２７に記載の受信機。
【請求項３７】
前記第２の無線アクセスネットワークは、ワイヤレスフィデリティ（ＷｉＦｉ）ネットワークを備える、
請求項３６に記載の受信機。
【請求項３８】
前記干渉ＲＦ成分は、ＷｉＦｉネットワークから受信された帯域外ブロッカ信号を備える、
請求項３６に記載の受信機。
【請求項３９】
前記帯域外ブロッカ信号は、ＲＦキャリアの２次高調波において送信される、
請求項３８に記載の受信機。
【発明の詳細な説明】
【優先権の主張】
【０００１】
[0001]本特許出願は、２０１３年８月２３日に出願され、本譲受人に譲渡され、参照により本明細書に明確に組み込まれる、「HARMONIC TRAP FOR COMMON GATE AMPLIFIER」と題する米国仮出願第１３／９７４，６３１号の優先権を主張する。
【技術分野】
【０００２】
[0002]種々の特徴は、概して、ワイヤレス通信装置に関し、より詳細には、ワイヤレス受信機の低雑音増幅器内の干渉信号を除去するための回路および方法に関する。
【背景技術】
【０００３】
[0003]ワイヤレス通信システムは、音声、ビデオ、パケットデータ、メッセージング、ブロードキャストなど、種々のタイプの通信コンテンツを提供するために広く展開されている。これらのシステムは、ワイヤレス通信を容易にするように構成されるアクセス端末によってアクセスされる場合があり、複数のアクセス端末が、利用可能なシステムリソース（たとえば、時間、周波数、および電力）を共有する。そのようなワイヤレス通信システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。基地局が、１つまたは複数の無線アクセス技術（ＲＡＴ）を用いて、アクセス端末に無線アクセスネットワーク（ＲＡＮ）へのアクセスを提供することができる。
【０００４】
[0004]セルラー電話、スマートフォン、グローバルポジショニングサテライト（ＧＰＳ）ナビゲータ、メディアプレーヤなどを含む、装置の機能性をさらに高めることに対する要求が増えるのに応じて、ますます多くの数のワイヤレスサービス事業者が、種々のＲＡＴを用いてＲＡＮを展開しつつあり、そのうちの少なくともいくつかは互いに干渉するおそれがある。数多くのアクセス端末が、複数のＲＡＴとともに使用するために構成され、および／または好ましいＲＡＮにおいて通信中に異なるＲＡＴと遭遇する場合がある。異なるＲＡＴが同じ周波数帯域を利用または共有するとき、共存問題が生じる可能性がある。たとえば、電気電子技術者協会（ＩＥＥＥ）によってＩＥＥＥ８０２．１１として規定されるローカルワイヤレス通信のためのワイヤレスフィデリティ（ＷｉＦｉ（登録商標））標準規格は、セルラーネットワーク技術を利用するワイドエリアネットワーク（ＷＡＮ）と干渉するおそれがある。ＷＡＮとＷｉＦｉとの共存は、無線周波数（ＲＦ）受信機におけるＷＡＮ感度に関する課題を提示する可能性がある。
【０００５】
[0005]したがって、改善された干渉除去回路およびデバイスが依然として必要とされている。
【発明の概要】
【０００６】
[0006]本開示の一態様では、方法および装置が提供される。その装置および方法は、ワイヤレスネットワーキング環境において利用される場合がある。その装置は、高周波ＲＦ受信機内に低雑音増幅器を含むことができる。
【０００７】
[0007]本開示の一態様では、その装置は、伝送ラインからＲＦ信号を受信するように構成されるソース端子を有することができる金属酸化膜半導体電界効果トランジスタ（ＭＯＳＦＥＴ）と、インダクタンスと直列に接続されるキャパシタンスを備える直列共振とを含む共通ゲート増幅回路を含む。直列共振は、ＲＦ信号内の干渉ＲＦ成分に対する接地への低インピーダンス経路を提供することができる。
【０００８】
[0008]本開示の一態様では、直列共振は、対象周波数を中心にした周波数帯域に対して高インピーダンスを提供するように同調される。干渉ＲＦ成分は、対象周波数を中心にした周波数帯域外の周波数によって特徴付けられ得る。干渉ＲＦ成分は、対象周波数を中心にした周波数帯域内の周波数の高調波を含む場合がある。干渉ＲＦ成分は、伝送ライン内に生成される高調波を含む場合がある。周波数帯域は、第１のＲＡＮに関連付けられる周波数帯域に対応する、対象周波数を中心にして配置され得る。干渉ＲＦ成分は、第２のＲＡＮによって送信される信号を含むことができる。
【０００９】
[0009]本開示の一態様では、第２の無線アクセスネットワークによって送信される信号は、対象周波数を中心にした周波数帯域内の周波数の高調波であるキャリア信号を含む。第２のＲＡＮはＷｉＦｉネットワークを含むことができる。
【００１０】
[0010]本開示の一態様では、共通ゲート増幅回路の出力は、対象周波数に対応する局部発振器周波数を用いてダウンコンバートされる。干渉ＲＦ成分は、局部発振器周波数の高調波である周波数を有する信号を含むことができる。
【００１１】
[0011]本開示の一態様では、並列共振が、対象周波数を中心にした周波数帯域外の周波数の利得を低減するように構成され得る。並列共振は、伝送ラインと整合するデジェネレイションインダクタンスと並列に接続される第２のキャパシタンスを含むことができる。
【００１２】
[0012]本開示の一態様では、ワイヤレス通信の方法が、アンテナから受信されたＲＦ信号を共通ゲート増幅回路の入力に提供することと、干渉ＲＦ成分を、共通ゲート増幅回路の入力に結合される共振回路を通じて接地に分路することと、周波数帯域を共通ゲート増幅回路に渡すこととを含む。ＲＦ信号は、周波数帯域および干渉ＲＦ成分内に符号化された情報を含むことができる。
【００１３】
[0013]本開示の一態様では、共振回路は、インダクタンスに直列に接続されるキャパシタンスを含むことができる。キャパシタンスおよびインダクタンスは、共振回路が、干渉ＲＦ成分に対応する周波数に対する接地への低インピーダンス経路を提供するように選択された値を有することができる。
【００１４】
[0014]本開示の一態様では、並列共振が、伝送ラインをドライブする共通ソース低雑音増幅器の出力に提供され得る。並列共振は、伝送ラインに関連付けられるデジェネレイションインダクタンスと並列に接続される第２のキャパシタンスを含むことができる。
【００１５】
[0015]本開示の一態様では、ワイヤレスデバイスが、アンテナから受信されたＲＦ信号を増幅するための手段と、ＲＦ信号の干渉ＲＦ成分を接地に分路するための手段とを含む。分路するための手段は、共通ゲート増幅回路の入力に結合される共振回路を含むことができる。ＲＦ信号は、共通ゲート増幅回路の入力において受信され得る。ＲＦ信号は、周波数帯域内に、および／または複数のキャリアおよび／または副キャリア上に符号化された情報を含むことができる。増幅するための手段は、ＲＦ信号の増幅されたバージョンを、周波数帯域をダウンコンバートするために用いられる局部発振器に提供するように構成され得る。
【図面の簡単な説明】
【００１６】
【図１】ワイヤレス装置が複数の送信機から信号を受信することができるネットワーキング環境を示す図。
【図２】異なるタイプのネットワークから信号を受信するように構成されるアクセス端末を示すブロック図。
【図３】ワイヤレス送受信機の特定の態様を示す回路図。
【図４】本明細書において説明される特定の態様による、送受信機内の受信チェーンを示す回路図。
【図５】本明細書において説明される特定の態様による、直列共振回路を用いて調整される共通ゲート低雑音増幅器を示す概略的な回路図。
【図６】本明細書において説明される特定の態様による、直列Ｌ−Ｃ回路の使用を示す回路図。
【図７】ワイヤレス通信のための方法のフローチャート。
【発明を実施するための形態】
【００１７】
[0023]以下の説明では、本開示の種々の態様の十分な理解を提供するように具体的な詳細が与えられる。しかしながら、これらの態様はこれらの具体的な詳細なしに実施され得ることを当業者は理解されよう。たとえば、これらの態様を不必要な詳細において不明瞭にするのを回避するために、回路がブロック図において示される場合がある。他の事例では、本開示の態様を不明瞭にしないために、よく知られている回路、構造、および技法が詳細に図示されない場合がある。
【００１８】
[0024]ここで、種々の装置および方法を参照しながら、電気回路、アセンブリ、ＩＣおよびＩＣパッケージングのいくつかの態様が提示されることになる。これらの装置および方法が、以下の発明を実施するための形態において説明され、種々のブロック、モジュール、構成要素、回路、ステップ、プロセス、アルゴリズム（まとめて、「要素」と呼ばれる）などによって添付の図面に示される。これらの要素は、電子ハードウェア、コンピュータソフトウェア、またはそれらの任意の組合せにおいて実現され得るか、またはやりとりし得る。
【００１９】
[0025]本開示全体にわたって提示される種々の概念は、多種多様な電気通信システム、ネットワークアーキテクチャ、および通信標準規格にわたって実現され得る。以下に説明される検討の特定の態様は、モバイル通信用グローバルシステム（ＧＳＭ（登録商標））に関連して、そして、第３世代パートナーシッププロジェクト（３ＧＰＰ（登録商標））プロトコルおよびシステムに関連して説明され、以下の説明の大部分では、その関連する用語が見られる場合がある。しかしながら、本開示の１つまたは複数の態様が、１つまたは複数の他のワイヤレス通信プロトコルおよびシステムにおいて利用され、その中に含まれる場合があることは、当業者は認識されよう。
【００２０】
[0026]図１は、２つ以上の異なる別々のＲＡＮ１１４、１１６の範囲内に位置するモバイルデバイス１０２を示す図である。モバイルデバイス１０２は、セルラーフォン、スマートフォン、セッション開始プロトコル電話、ラップトップコンピュータ、携帯情報端末、衛星ラジオ、グローバルポジショニングシステム、マルチメディアデバイス、ビデオもしくはオーディオストリーミングデバイス、ビデオデバイス、デジタルオーディオプレーヤ、カメラ、ゲーム機、タブレット、または任意の他の同様の機能デバイスとすることができる。ＲＡＴの任意の組合せを用いて、２つ以上のＲＡＮ１１４および１１６が実現され得る。２つ以上のＲＡＮ１１４および１１６は、同じ、または異なる電気通信標準規格に準拠するか、または適合することができ、ＲＡＮ１１４および１１６に関連付けられる種々の変調技法および複数のアクセス技法のいずれかを利用することができる。
【００２１】
[0027]モバイルデバイス１０２は、ＲＡＮ１１４を通じて第１のネットワークからサービスを受けるために、第１のアクセスポイント（ＡＰ）１０４と通信し、ＲＡＮ１１６に関連付けられる第２のネットワークからサービスを受けるために第２のＡＰ１０６と通信するように構成され得る。各ＲＡＮ１１４および１１６は、加入したユーザに対して音声および／またはデータサービスを提供することができる。ＲＡＮ１１４および１１６は、同じ、または異なるネットワーク事業者によって運用され得る。ＲＡＮ１１４および１１６によってカバーされる地理的エリアは、サイズが異なる場合があり、および／または少なくとも部分的に重なり合う場合がある。一例では、ＲＡＮ１１６は、ＧＳＭネットワーク１１４より実質的に小さなエリアをカバーするＷｉＦｉネットワークとすることができる。アクセス端末１０２は、複数のアクセス可能セルまたはＲＡＮ１１４および１１６が利用可能である場所に配置される場合があり、アクセス端末１０２は、複数のアクセスポイント１０４および１０６を通じて、複数のネットワークおよび／またはシングルコアネットワークにアクセスするように構成される場合がある。したがって、アクセス端末１０２は、異なるキャリア周波数上で、および／またはキャリア周波数に関連付けられる異なる部分帯域内でワイヤレス通信信号を受信できる場合がある。情報が１つの周波数帯域内に見られる１つまたは複数の副キャリア上に符号化される場合があることは理解されよう。
【００２２】
[0028]図２は、ワイヤレスネットワーキング環境を示す簡略化されたブロック図２００である。アクセス端末２０２が、１つまたは複数のＡＰ２０４、２１０および／または２２２から信号を受信することができるアンテナ２２０を含むことができるか、またはアンテナ２２０に結合され得る。アクセス端末２０２は、セルラーフォン、スマートフォン、セッション開始プロトコル電話、ラップトップコンピュータ、携帯情報端末、衛星ラジオ、グローバルポジショニングシステム、マルチメディアデバイス、ビデオもしくはオーディオストリーミングデバイス、ビデオデバイス、デジタルオーディオプレーヤ、カメラ、ゲーム機、タブレット、または任意の他の同様の機能デバイスとすることができる。アクセス端末２０２は、モバイル端末、ワイヤレス端末、リモート端末、ワイヤレス端末、ユーザ機器、ユーザエージェント、ワイヤレスデバイス、ワイヤレス通信デバイス、モバイルデバイス、モバイルワイヤレスデバイス、移動局、加入者局、ハンドセット、モバイルクライアント、ワイヤレスクライアントと呼ばれる、またはいくつかの他の適切な専門用語によって呼ばれる場合がある。
【００２３】
[0029]ＡＰ２０４、２１０および／または２２２はそれぞれ、基地局、トランシーバ基地局、無線アクセスポイント、アクセス局、無線送受信機、基本サービスセット、拡張サービスセット、ＮｏｄｅＢ、発展型ＮｏｄｅＢ（ｅＮＢ）、ワイヤレスハブ、ＷｉＦｉアクセスポイント（ＷＡＰ）またはいくつかの他の適切な専門用語を含むことができるか、またはそのように呼ばれる場合がある。各ＡＰ２０４、２１０および／または２２２は、１つまたは複数のネットワーク事業者によって提供されるコアネットワークサービスへのアクセスを提供するＲＡＮをサポートすることができる。ＲＡＮは、任意の適切なＲＡＴを用いて実現される場合があり、種々の変調技法および複数のアクセス技法を利用する電気通信標準規格に適合するか、または準拠することができる。例として、ＡＰ２０４、２１０および／または２２２に関連付けられるＲＡＮは、ＣＤＭＡ、または広帯域ＣＤＭＡ（Ｗ−ＣＤＭＡ（登録商標））などのその変形のうちの１つを利用するユニバーサル地上無線アクセス（ＵＴＲＡ）、ＴＤＭＡを利用するＧＳＭ、時分割同期符号分割多元接続（ＴＤ−ＳＣＤＭＡ）、ユニバーサルモバイル電気通信システム（ＵＭＴＳ）に対する１組の機能強化であるロングタームエボリューション（ＬＴＥ（登録商標））、発展型ＵＴＲＡ（Ｅ−ＵＴＲＡ）、Ｗｉ−Ｆｉ（登録商標）、ＩＥＥＥ８０２．１６（ＷｉＭＡＸ（登録商標））、ＩＥＥＥ８０２．２０、およびＯＦＤＭＡを利用するフラッシュＯＦＤＭのうちの１つまたは複数を含むことができる。また、ＲＡＮは、発展データ最適化（ＥＶ−ＤＯ：Evolution-Data Optimized）またはウルトラモバイルブロードバンド（ＵＭＢ）のうちの１つまたは複数を含むこともできる。アクセス端末２０２は、異なるネットワーク技術を取り扱う複数のアンテナをサポートすることができる。たとえば、アクセス端末２０２は、３ＧＰＰ規定ネットワーク、ＷｉＦｉネットワークおよび／またはブルートゥース（登録商標）ネットワークのための異なるアンテナを有することができる。
【００２４】
[0030]アクセス端末２０２は、ＡＰ２０４、２１０および２２２のうちの１つまたは複数に接続される場合があり、アンテナ２２０は、いつでも複数のＡＰ２０４、２１０および２２２からの信号を受信または検出することができる。一例では、アクセス端末２０２は、ｅＮＢ２０４を通じてＬＴＥなどのパケット交換（ＰＳ）ネットワークと関連付けられ、および／または基地局２１０を通じてデータ呼および音声呼のために回線交換（ＣＳ）ネットワークと関連付けられながら、ＷＡＰ２２２を通じてインターネットに接続され得る。アクセス端末２０２は、ｅＮＢ２０４を通じてＥ−ＵＴＲＡＮに登録される場合があり、パケットデータネットワーク（ＰＤＮ）ゲートウェイ２１０が、アクセス端末２０２とインターネット２１６のような１つまたは複数の外部パケットデータネットワークとの間の接続性を提供することができる。アクセス端末２０２は、たとえば、ＣＤＭＡ−２０００ネットワークを通じて音声およびデータサービスを受けるために、基地局２１０を通じてＣＳネットワークに登録され得る。一例では、汎用パケット無線サービス（ＧＰＲＳ）システムによって、２Ｇ、３ＧおよびＷ−ＣＤＭＡモバイルネットワークが、ＩＰパケットを、サービングＧＰＲＳサポートノード（ＳＧＳＮ）２１４を含む場合があるゲートウェイ機能用いて、インターネット２１６などの外部ネットワークに送信し、インターネット２１６のような外部パケット交換ネットワークへのアクセスを含むインターワーキングサービスを提供できるようになる。
【００２５】
[0031]ＡＰ２０４、２１０および２２２はそれぞれ、所定のキャリア周波数および周波数帯域を用いて、アクセス端末２０２と通信することができる。場合によっては、ＡＰ２０４、２１０および２２２のうちの１つによって使用される周波数帯域が、他のＡＰ２０４、２１０および２２２によって使用される周波数帯域と重なり合う場合がある。ワイヤレスネットワーキングプロトコルは、重なり合う周波数帯域によって引き起こされる干渉に対応し、回避する対策を含むことができるが、干渉が、被変調キャリアから信号を抽出するアンテナ、増幅器およびシグナルプロセッサの動作に影響を及ぼす場合がある。
【００２６】
[0032]再び図１を参照すると、場合によっては、モバイルデバイス１０２は、複数のアンテナを用いて改善されたサービスを受けるために、２つ以上のアクセスポイント１０４および１０６と同時に通信することができる。一例では、３ＧＰＰ標準規格は、多入力多出力（ＭＩＭＯ）を含む、ダウンリンクの動作モードを規定する。ＭＩＭＯは、マルチアンテナ技術、すなわち、複数の送信アンテナ（チャネルへの複数の入力）と複数の受信アンテナ（チャネルからの複数の出力）とを指すために、一般に用いられる用語である。ＭＩＭＯシステムは一般に、データ伝送品質を高め、ダイバーシティ利得によりマルチパスフェージングを低減して伝送品質を上げることと、空間多重化利得によりデータスループットを増すこととを可能にする。
【００２７】
[0033]データの異なるストリームを同じ周波数上で同時に送信するために、空間多重化が使用され得る。データストリームは、データ速度を高めるために単一のモバイルデバイス１０２に送信され得るか、または全体的なシステム容量を増やすために複数のモバイルデバイス１０２に送信され得る。これは、各データストリームを空間的にプリコードし、次いで、空間的にプリコードされた各ストリームを、ダウンリンク上で異なる送信アンテナを通じて送信することによって達成される。空間的にプリコードされたデータストリームは、異なる空間シグネチャとともにモバイルデバイス１０２に到着し、それにより、モバイルデバイス１０２が１つまたは複数のデータストリームを再生できるようになる。
【００２８】
[0034]アクセス端末２０２内の受信機回路は、１つまたは複数のアンテナ２２０に接続される場合があり、異なる、または同じ周波数を有するキャリア信号上で複数の信号を受信する場合があり、１つまたは複数のアンテナ２２０を通じて受信された信号から干渉を受ける場合がある。本明細書において説明される特定の態様によれば、アクセス端末２０２は、局部発振器におけるダウンコンバージョン前に、干渉を除去するか、最小化するか、または補償するように構成され得る。局部発振器は、本明細書においてＲＦ信号をダウンコンバートすると呼ばれるプロセスにおいて、対象のＲＦ信号をより低い周波数に変換するために用いられる回路である。一例では、５ＧＨｚキャリア上で搬送される信号が、ＲＦ信号を復号する前に、中間周波数として知られているより低い周波数キャリア上に符号化された信号にダウンコンバートされ得る。
【００２９】
[0035]図３は、ワイヤレス送受信機の特定の態様を示す回路図３００である。送受信機は、図２のアンテナ２２０から受信された信号を処理するために使用され得る低雑音増幅器およびダウンコンバータを含むことができる。送受信機は、ＲＦフロントエンドとやりとりすることができ、複数の周波数帯域、および帯域の組合せに対応することができる。図示される例では、送受信機は、入力ポートにおいて受信された４つのＲＦ信号３１２ａ、３１２ｂ、３１２ｃおよび３１２ｄを取り扱うように構成される場合があり、それらに信号は、１つまたは複数のアンテナ２２０（図２参照）から受信される場合があり、個々の信号として、および／またはＭＩＭＯ信号として処理され得る。一例では、ＲＦ信号３１２ａ、３１２ｂ、３１２ｃおよび３１２ｄとして受信されたＭＩＭＯ信号を合成するために、局部発振器３１０が使用され得る。別の例では、異なる高周波帯域（ＨＢ）がサポートされる場合があり、ＲＦ信号３１２ａ、３１２ｂ、３１２ｃおよび３１２ｄのうちの１つまたは複数が、増幅され（たとえば、トランジスタ３１４および／または低雑音増幅器３１６を通じて）、伝送ライン３０６を介して、物理的に異なるデバイス３０２と３０４との間で送信される場合がある。
【００３０】
[0036]マルチポートデバイス３０２が、１つまたは複数のキャリア周波数においてＲＦ信号を受信する複数のポート３１２ａ、３１２ｂ、３１２ｃおよび３１２ｄを含むことができる。たとえば、２つのポート３１２ａおよび３１２ｂが、バンドＢ３８（ＨＢ１）バンドＢ７（ＨＢ３）にそれぞれ対応する２．６ＧＨｚキャリア上でＲＦ信号を受信することができ、別のポート３１２ｃが、バンドＢ４０（ＨＢ４）に対応する２．３ＧＨｚキャリア上でＲＦ信号を受信することができ、別のポート３１２ｄが、バンドＢ４１（ＨＢ２）に対応する２．５ＧＨｚキャリア上でＲＦ信号を受信することができる。図示される例では、ＨＢ２として指定される対象信号が第１のポート３１２ｄにおいて受信され、低雑音増幅器３１６およびインターフェース回路３１８を通じて伝送ライン３０６に提供される。伝送ラインは、電流増幅済みＨＢ２信号を、混合器３２０および関連する局部発振器３２６を用いてＨＢ２信号をダウンコンバートするように構成される低雑音増幅器（ＬＮＡ）を有するデバイス３０４に伝達する。ダウンコンバート用混合器３２０の動作は、他のポート３１２ａ、３１２ｂおよび／または３１２ｃのうちの１つまたは複数に関連付けられる干渉信号および／またはキャリアによって影響を及ぼされる場合がある。図示される例では、第２の入力ポート３１２ｂにおいて受信される干渉または妨害ＲＦ信号は、変圧器３１８を通じて伝送ライン３０６に結合される場合がある。
【００３１】
[0037]複数のＲＦ信号３１２ａ、３１２ｂ、３１２ｃおよび３１２ｄが１つまたは複数のアンテナ２２０によって異なるキャリア周波数上で受信されるとき、共存問題が生じるおそれがある。いくつかの共存問題は、対象信号３１２ｄからベースバンド信号を得るために用いられる局部発振器（ＬＯ）３２６の高調波成分の周波数を有する妨害信号を、混合処理によって低周波にすることに関連付けることができる。一例では、妨害信号は、５ＧＨｚのキャリア周波数上でアンテナ２２０によって検出されるＷｉＦｉ信号とすることができる。図３に示されるように、５ＧＨｚ妨害信号は、ＨＢ３信号入力３１２ｂにおいて存在する場合がある。妨害信号は、ＷｉＦｉキャリアから導出される場合があり、ブリッジを通じて（たとえば、破線で示される経路を通じて）伝導される場合がある。５ＧＨｚＷｉＦｉ信号は、第１の入力ポート３１２ｄにおいて受信されるＢ４１信号をダウンコンバートするために提供される、局部発振器３２６の周波数の約２倍とすることができる。妨害信号は、Ｂ４１信号３１２ｄをダウンコンバートすることによって、ダウンコンバータ３０４の感度を低下させる場合がある。
【００３２】
[0038]妨害信号の影響を低減する１つの手法は、帯域外周波数において利得を低下させるために、共通ソース増幅器３１６のソースにおいて並列共振を設けることである。並列共振は、増幅器３０２の入力のインピーダンスと整合させるために用いられるデジェネレイションインダクタ３２４と並列にキャパシタンス３２２を加えることによって形成され得る。インダクタンス３２４およびキャパシタンス３２２から形成される並列共振は、帯域外周波数における利得を低減するフィルタとして動作することができ、したがって、妨害信号に起因する問題を改善することができる。インダクタンス−キャパシタンス（ＬＣ）値は、高い周波数ほど減衰させるために、ローパスフィルタリングを得るように選択され得る。しかしながら、結果として、０．１ｄＢ〜０．２ｄＢまたはそれより高い雑音指数の劣化が生じる場合がある。
【００３３】
[0039]図４は、送受信機内の受信チェーンを示す回路図４００である。受信チェーンは、入力ポート４１２において受信されたバンドＢ４１ＲＦ信号を取り扱うように構成され得る。Ｂ４１ＲＦ信号は、たとえば、２．５ＧＨｚキャリア上で受信され得る。入力ポート４１２において受信されたＲＦ信号は、低雑音増幅器４１６に提供される。カップリング変圧器回路４１８が、伝送ライン４０６を通じて、信号を低雑音増幅器４２４に送信することができ、低雑音増幅器は、その信号を、混合回路４２０において、局部発振器４２６によって生成された信号と混合させる。ＬＮＡ４２４の負荷は、対象信号のキャリア周波数において高いインピーダンスを提供し、妨害信号への低インピーダンス経路を提供する並列共振回路４２２とすることができる。デジェネレイションインダクタンス４１０と、キャパシタンス４１４とを含むデジェネレイションインピーダンス４０８が並列共振回路を形成し、その並列共振回路は、干渉周波数におけるバンドストップフィルタとして動作し、伝送ライン４０６の前に特定の干渉信号を減衰させることができる。デジェネレイションインピーダンス４０８は、設計制約に起因して、干渉周波数において十分なフィルタリングを提供しない場合がある。さらに、Ｔ−ライン４０６における終端インピーダンスの不整合に起因して、高調波周波数において定在波が生成される場合があり、高調波干渉を高め、対象信号の復号に影響を及ぼし、それが、干渉除去に関する回路４０８の有効性をさらに低下させる。さらには、複数の周波数において干渉源が存在する場合があり、回路４０８は、周波数のうちの１つしか除去できない場合がある。この場合、１つまたは複数の他の干渉周波数を除去するために、別のフィルタが用いられる場合がある。本明細書において開示される特定の態様によれば、高調波干渉の影響を解消または低減するために、伝送ライン４０６の後に特定の回路が設けられ得る。
【００３４】
[0040]図５は、直列共振回路５０４を用いて調整される共通ゲートＬＮＡ５０６を示す概略的な回路図５００である。直列共振回路５０４は、帯域外妨害信号またはブロッカ信号からの干渉に対処するために、ＬＮＡ５０６の入力に接続され得る。一例では、直列共振回路５０４は、局部発振器４２６（図４参照）の周波数の高調波である周波数において観測されるか、または予想される場合がある帯域外妨害信号を分路するように選択された値を有するインダクタンス５０８およびキャパシタンス５１０を有する。一例では、局部発振器４２６の２次高調波において帯域外妨害信号が生じる。直列共振回路５０４は、共振周波数における信号を接地に分路するノッチフィルタとして動作することができる。直列共振回路５０４は、ターゲットとされる妨害信号を実効的に短絡するように構成され、それにより、帯域外妨害信号がダウンコンバータ混合器４２０および局部発振器４２６に達する前に、その利得を低減することができる。直列共振回路５０４は高調波トラップとして動作することができ、その高調波トラップは、７ｄＢより大きな帯域外妨害除去を達成することができる。
【００３５】
[0041]いくつかの例では、直列共振回路５０４は同調可能とすることができ、種々の潜在的な妨害信号に対応する複数の周波数のうちの１つにおいて共振するようにデジタル制御され得る。直列共振回路５０４は、インダクタンス５０８またはキャパシタンス５１０を変更することによって同調させることができる。デジタル方式でプログラム可能なキャパシタンス要素５２０の一例が図５において示される。プログラム可能キャパシタンス要素５２０は、キャパシタンス要素５２０によって提供されるキャパシタンスを調整するために、対応するキャパシタンス５２４を並列に接続するようにデジタル制御されるスイッチ５２２を含むことができる。各スイッチ５２２の位置は、現在の動作モードに従って変化する場合がある構成情報によって決定され得る。
【００３６】
[0042]いくつかの例では、複数の直列共振回路５０４が設けられる場合があり、各直列共振回路５０４が特定の干渉源をターゲットとするように同調される。場合によっては、受信機の感度を低下させる複数の干渉源が存在する場合がある。たとえば、干渉源はシステム内の５．４ＧＨｚおよび７ＧＨｚにおいて存在する場合がある。
【００３７】
[0043]図６は、複数の共振フィルタ６１４、６３６および６３０を利用する受信チェーンを示す概略的な回路図６００を示す。２．５ＧＨｚキャリア上で搬送されるバンドＢ４１内の対象ＲＦ信号が入力ポート６１２において受信され、低雑音増幅器６１６に提供される。並列共振回路６１４が、増幅器６１６のソースに設けられ得る。並列共振回路６１４は、干渉する可能性がある高い周波数が伝送ライン６０６を横断するのを阻止することができるローパスフィルタとして動作する。増幅器６１６の出力は、伝送ライン６０６を介してＬＮＡ６２４に送信される。抵抗６２２のようなインピーダンスが、伝送ライン６０６の特性インピーダンスと整合させるために設けられ得る。
【００３８】
[0044]低雑音増幅器６２４は、局部発振器６２６を用いて対象信号をダウンコンバートする混合回路６２８をドライブするように構成され得る。ＬＮＡ６２４は共通ゲート増幅器とすることができる。伝送ライン６０６から受信された信号は、ＬＮＡ６２４内のトランジスタ６２４ａのソース端子に提供される。本明細書において開示される特定の態様によれば、トランジスタ６２４ａのソース端子に直列共振６３０が接続され得る。直列共振６３０が特定のターゲット周波数に対する接地への低インピーダンス経路を提供するために同調されるように、直列共振６３０は、キャパシタンス６３４と直列に接続されるインダクタンス６３２を有することができる。直列共振６３０は、インダクタンス６３２およびキャパシタンス６３４の値を選択することを通じて同調することができる。一例では、局部発振器６２６の周波数の高調波付近の周波数を有する信号を分路し、および／または伝送ライン６０６内に生成される高調波をフィルタリングするために、直列共振６３０を同調させることができる。
【００３９】
[0045]直列共振回路６３０は、受信チェーンの帯域外妨害信号除去特性を改善するために、並列共振回路６１４と組み合わせられ得る。直列共振回路６３０は、伝送ライン６０６の終端インピーダンス６２２の後または終端インピーダンス６２２付近に、および／またはＬＮＡ６２４への入力に、またはその付近に設けられる場合があり、一方、局部発振器６２６の１つまたは複数の高調波周波数における信号、および／または局部発振器周波数の高調波でない周波数における信号の除去を改善するために、他のフィルタが配置される。たとえば、ＬＮＡ６２４の負荷は、対象信号のキャリア周波数において高いインピーダンスを提供し、妨害信号に対する低インピーダンス経路を提供する並列共振回路６３６とすることができる。別の例では、並列共振回路６１４および直列共振回路６３０の組合せが利用される場合があり、受信チェーン全体にわたって１６ｄＢ以上の干渉高調波除去をもたらすことができ、そして、著しい雑音指数ペナルティも被らない。
【００４０】
[0046]いくつかの例では、複数の直列共振回路６３０が設けられる場合があり、各直列共振回路６３０が特定の干渉源をターゲットとするように同調される。その代わりに、またはそれ加えて、直列共振回路６３０と並列共振回路６１４との組合せは、複数の干渉源が存在するときに、受信チェーンの帯域外妨害信号除去特性を改善するように構成され得る。一態様によれば、１つの共振回路６１４または６３０が、受信機の感度を低下させる可能性がある複数の干渉源が存在するときに１つの干渉源を除去するように同調することができ、他の共振回路６３０または６１４が、他の周波数の干渉源を除去するように同調することができる。たとえば、システム内の５．４ＧＨｚおよび７ＧＨｚにおいて干渉源が存在する場合があり、並列共振回路６１４は、５．４ＧＨｚ干渉源のみを除去するように同調可能とすることができ、その場合に、直列共振回路６３０は、７ＧＨｚ干渉源を除去するように同調することができる。
【００４１】
[0047]図７は、ワイヤレス通信のための方法を示すフローチャート７００である。ステップ７０２において、アンテナから受信されたＲＦ信号が共通ゲート増幅回路の入力に提供される。ＲＦ信号は、共通ゲート増幅回路内のトランジスタのソース端子に提供され得る。ＲＦ信号は、周波数帯域および干渉ＲＦ成分内に符号化された情報を含むことができる。周波数帯域は第１のキャリア周波数に関連付けられる場合があり、干渉ＲＦ成分は第２のキャリア周波数に関連付けられる場合がある。周波数帯域は第１のＲＡＮによって第１のキャリア周波数上で送信される場合があり、干渉ＲＦ成分は、第２のＲＡＮにおいて送信される信号に関連付けられる場合がある。第２のＲＡＮはＷｉＦｉネットワークとすることができる。干渉ＲＦ成分はＷｉＦｉネットワークから受信された帯域外ブロッカ信号とすることができる。ＷｉＦｉネットワークは、５ギガヘルツの周波数においてＲＦキャリア上で送信することができる。帯域外ブロッカ信号は、対象信号に関連付けられるＲＦキャリアの２次高調波とすることができる。
【００４２】
[0048]ステップ７０４において、干渉ＲＦ成分が、共通ゲート増幅回路の入力に結合される直列共振回路を通じて、接地に分路される。共振回路は、インダクタンスに直列に接続されるキャパシタンスを含むことができる。キャパシタンスおよびインダクタンスは、共振回路が、干渉ＲＦ成分に対応する周波数に対する接地への低インピーダンス経路を提供するように選択された値を有することができる。干渉ＲＦ成分は、周波数帯域をダウンコンバートするために用いられる局部発振器の高調波である周波数を有することができる。さらに、キャパシタおよび／またはインダクタは、キャパシタのための切替式ネットワークおよびインダクタのための切替式ポートを用いることによって同調可能とすることができる。干渉ＲＦ成分は、周波数帯域をダウンコンバートするために用いられる局部発振器の高調波である周波数を有する信号を含むことができる。干渉ＲＦ成分は、伝送ライン内で増加する信号を含むことができる。
【００４３】
[0049]本開示の一態様では、直列共振回路は同調可能である。一例では、直列共振回路は、ＲＦ信号内の複数の干渉する可能性があるＲＦ成分のうちの１つをターゲットとするように同調することができる。別の例では、直列共振回路は、ＭＯＳＦＥＴのソースに接続される複数の直列共振回路のうちの１つであり、各直列共振回路は、ＲＦ信号内の異なる干渉ＲＦ成分に対する接地への低インピーダンス経路を提供するように同調される。本開示の一態様では、１つまたは複数の直列共振回路によってターゲットとされる干渉ＲＦ成分とは異なる、ＲＦ信号内の干渉ＲＦ成分をターゲットとするために、並列共振回路が用いられる。
【００４４】
[0050]ステップ７０６において、周波数帯域が共通ゲート増幅回路に渡される。本明細書において説明される特定の態様によれば、ＲＦ信号は、伝送ラインを介して送信される前にフィルタリングされ得る。ＲＦ信号は、たとえば、伝送ラインをドライブする共通ソース低雑音増幅器のソース端子において設けられ得る並列共振にＲＦ信号を提供することによって、伝送ライン前にフィルタリングされ得る。並列共振は、増幅器の入力のインピーダンスを整合させるために使用され得るデジェネレイションインダクタンスと並列に接続される第２のキャパシタンスを有することができる。
【００４５】
[0051]本明細書において説明される特定の態様によれば、アンテナから受信されたＲＦ信号は電流増幅器を用いて増幅され、電流増幅器の出力が、伝送ラインの第１の端部に提供される。ＲＦ信号は、電流増幅器内のトランジスタのソース端子に結合される並列共振を用いてフィルタリングされ得る。共通ゲート増幅回路の入力は、伝送ラインの第２の端部に結合され得る。並列共振は、アンテナからＲＦ信号を受信する入力ポートのインピーダンス整合を提供するように構成されるデジェネレイションインダクタンスと並列に接続される第２のキャパシタンスを備えることができる。
【００４６】
[0052]「例示的」という単語は、本明細書において、「例、事例、または例示としての役割を果たすこと」を意味するために使用される。「例示的」として本明細書で説明するいかなる実施態様または態様も、必ずしも、本開示の他の態様よりも好ましいか、または有利であると解釈されるべきではない。同様に、「態様」という用語は、本開示のすべての態様が、説明する特徴、利点、または動作モードを含むことを必要としない。トランジスタの「ソース／ドレイン」端子という用語は、トランジスタのソースまたはドレインのいずれかとすることができる。その端子が実際にソースであるか、ドレインであるかは、動作しているときにトランジスタの種々の端子に印加される電圧によって決まる。さらに、「ＶDD」という用語は回路の電源電圧を表し、「ＶSS」は回路の接地を表す。
【００４７】
[0053]ウエハおよび基板という用語は、本開示の態様による集積回路（ＩＣ）を形成するための、露出した表面を有する任意の構造を含むために、本明細書において使用され得る。「ダイ」という用語は、ＩＣを含むために、本明細書において使用され得る。ダイは、１つまたは複数の回路を含むことができる。基板という用語は、半導体ウエハを含むものと理解される。基板という用語はまた、製作中の半導体構造を指すために使用され、その上に製作された他の層を含むことができる。基板という用語は、ドープされたおよびドープされない半導体、ベース半導体によって支持されるエピタキシャル半導体層、または絶縁体によって支持される半導体層、ならびに当業者によく知られている他の半導体構造を含む。
【００４８】
[0054]図１〜図７に示される構成要素、ステップ、特徴および／または機能のうちの１つまたは複数は、単一の構成要素、ステップ、特徴または機能に再構成されおよび／もしくは組み合わされる場合があり、またはいくつかの構成要素、ステップ、または機能において具現される場合がある。追加の要素、構成要素、ステップ、および／または機能が、本明細書において開示される新規の特徴から逸脱することなく、追加される場合がある。図１〜図６に示される装置、デバイス、および／または構成要素は、図７によって示される方法を含む、本明細書において説明される方法、特徴、またはステップのうちの１つまたは複数を実行するように構成され得る。また、本明細書において説明された新規のアルゴリズムは、ソフトウェアにおいて効率的に実施され、および／またはハードウェアに効率的に組み込まれる場合がある。
【００４９】
[0055]また、実施形態は、フローチャート、フロー図、構造図、またはブロック図として示されるプロセスとして説明されることがあることも留意されたい。フローチャートは、逐次プロセスとして動作について説明する場合があるが、それらの動作の多くは、並行してまたは同時に実行され得る。さらに、動作の順序は再構成され得る。プロセスは、その動作が完了されるときに終了される。プロセスは、メソッド、関数、プロシージャ、サブルーチン、サブプログラムなどに対応することができる。プロセスが機能に対応するとき、その終了は、呼出し機能またはメイン機能に機能が戻ることに対応する。
【００５０】
[0056]本明細書において説明される発明の種々の特徴は、本発明から逸脱することなく、異なるシステムにおいて実現され得る。本開示の上記の態様は例にすぎず、本発明を限定するものと解釈されるべきではないことに留意されたい。本開示の態様の説明は、例示することを意図しており、特許請求の範囲を限定することは意図していない。したがって、本教示は他のタイプの装置に容易に適用されることが可能であり、多くの代替形態、変更形態、および変形形態が当業者には明らかであろう。
【図１】
2016532383.tif 000003
【図２】
2016532383.tif 000004
【図３】
2016532383.tif 000005
【図４】
2016532383.tif 000006
【図５】
2016532383.tif 000007
【図６】
2016532383.tif 000008
【図７】
2016532383.tif 000009
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
低雑音増幅器であって、
伝送ラインから無線周波数（ＲＦ）信号を受信するように構成されるソースを有する金属酸化膜半導体電界効果トランジスタ（ＭＯＳＦＥＴ）を含む共通ゲート増幅回路と、
前記ＭＯＳＦＥＴの前記ソースに接続され、インダクタンスと直列に接続されるキャパシタンスを備える直列共振と
を備え、前記直列共振は、前記ＲＦ信号が局部発振器においてダウンコンバートされる前に、前記ＲＦ信号内の干渉ＲＦ成分に対する、接地への低インピーダンス経路を提供する、
低雑音増幅器。
【請求項２】
前記直列共振は、対象周波数を中心にした周波数帯域に高いインピーダンスを提供するように同調される、
請求項１に記載の低雑音増幅器。
【請求項３】
前記干渉ＲＦ成分は、前記対象周波数を中心にした前記周波数帯域外の周波数によって特徴付けられる、
請求項２に記載の低雑音増幅器。
【請求項４】
前記干渉ＲＦ成分は、前記対象周波数を中心にした前記周波数帯域内の周波数の高調波を備える、
請求項２に記載の低雑音増幅器。
【請求項５】
前記直列共振は、前記ＲＦ信号内の複数の干渉する可能性があるＲＦ成分のうちの１つをターゲットとするように同調可能である、
請求項２に記載の低雑音増幅器。
【請求項６】
前記対象周波数を中心にした前記周波数帯域は、第１の無線アクセスネットワークに関連付けられる周波数帯域に対応し、前記干渉ＲＦ成分は、第２の無線アクセスネットワークによって送信される信号を含む、
請求項２に記載の低雑音増幅器。
【請求項７】
前記第２の無線アクセスネットワークによって送信される前記信号は、前記対象周波数を中心にした前記周波数帯域内の周波数の高調波であるキャリア信号を含む、
請求項６に記載の低雑音増幅器。
【請求項８】
前記第２の無線アクセスネットワークは、ワイヤレスフィデリティ（ＷｉＦｉ（登録商標））ネットワークを備える、
請求項７に記載の低雑音増幅器。
【請求項９】
前記共通ゲート増幅回路の出力は、前記対象周波数に対応する局部発振器周波数を用いてダウンコンバートされ、前記干渉ＲＦ成分は、前記局部発振器周波数の高調波である周波数を有する信号を含む、
請求項２に記載の低雑音増幅器。
【請求項１０】
前記低雑音増幅器の前記入力に結合された並列共振は、前記対象周波数を中心にした前記周波数帯域外の周波数の利得を低減するように構成される、
請求項２に記載の低雑音増幅器。
【請求項１１】
前記並列共振は、前記直列共振によってターゲットとされた干渉ＲＦ成分とは異なる、前記ＲＦ信号内の干渉ＲＦ成分をターゲットとする、
請求項１０に記載の低雑音増幅器。
【請求項１２】
前記直列共振は、前記ＭＯＳＦＥＴの前記ソースに接続される複数の直列共振のうちの１つであり、各直列共振は、前記ＲＦ信号内の異なる干渉ＲＦ成分に対する、接地への低インピーダンス経路を提供するように同調される、
請求項１に記載の低雑音増幅器。
【請求項１３】
ワイヤレス通信の方法であって、
アンテナから受信された無線周波数（ＲＦ）信号を共通ゲート増幅回路の入力に提供すること、ここにおいて、前記ＲＦ信号は、周波数帯域および干渉ＲＦ成分内に符号化された情報を含む、と、
前記干渉ＲＦ成分を、前記共通ゲート増幅回路の前記入力に結合される共振回路を通じて接地に分路すること、ここにおいて、前記分路することは、局部発振器において前記ＲＦ信号がダウンコンバートされる前に行われる、と、
前記周波数帯域を前記共通ゲート増幅回路に渡すことと
を備える、ワイヤレス通信の方法。
【請求項１４】
前記共振回路は、インダクタンスに直列に接続されるキャパシタンスを含む、
請求項１３に記載の方法。
【請求項１５】
前記キャパシタンスおよび前記インダクタンスは、前記共振回路が、前記干渉ＲＦ成分に対応する周波数に対する接地への低インピーダンス経路を提供するように選択された値を有する、
請求項１４に記載の方法。
【請求項１６】
前記干渉ＲＦ成分は、前記周波数帯域をダウンコンバートするために用いられる局部発振器の高調波である周波数を有する信号を含む、
請求項１４に記載の方法。
【請求項１７】
前記共振回路は、前記ＲＦ信号内の複数の干渉する可能性があるＲＦ成分のうちの１つをターゲットとするように同調可能である、
請求項１４に記載の方法。
【請求項１８】
前記アンテナから受信された前記ＲＦ信号を前記共通ゲート増幅回路の前記入力に提供することは、
電流増幅器で前記ＲＦ信号を増幅すること、ここにおいて、前記電流増幅器の出力は、伝送ラインの第１の端部に提供される、と、
前記電流増幅器内のトランジスタのソース端子に結合される並列共振を用いて前記ＲＦ信号をフィルタリングすることと
を含む、請求項１３に記載の方法。
【請求項１９】
前記共通ゲート増幅回路の前記入力は、前記伝送ラインの第２の端部に結合される、
請求項１８に記載の方法。
【請求項２０】
前記並列共振は、前記アンテナから前記ＲＦ信号を受信する入力ポートのインピーダンス整合を提供するように構成されるデジェネレイションインダクタンスと並列に接続される第２のキャパシタンスを備える、
請求項１９に記載の方法。
【請求項２１】
前記並列共振は、前記共通ゲート増幅回路の前記入力に結合される前記共振回路によってターゲットとされる干渉ＲＦ成分とは異なる、前記ＲＦ信号内の干渉ＲＦ成分をターゲットとする、
請求項１８に記載の方法。
【請求項２２】
前記周波数帯域は、第１の無線アクセスネットワークによって第１のキャリア上で送信され、前記干渉ＲＦ成分は、第２の無線アクセスネットワークにおいて送信される信号に関連付けられる、
請求項１３に記載の方法。
【請求項２３】
前記第２の無線アクセスネットワークは、ワイヤレスフィデリティ（ＷｉＦｉ）ネットワークを備える、
請求項２２に記載の方法。
【請求項２４】
前記干渉ＲＦ成分は、ＷｉＦｉネットワークから受信された帯域外ブロッカ信号を備える、
請求項２３に記載の方法。
【請求項２５】
前記帯域外ブロッカ信号は、ＲＦキャリアの２次高調波において送信される、
請求項２４に記載の方法。
【請求項２６】
複数の共振回路が、前記共通ゲート増幅回路の前記入力に結合され、前記複数の共振回路はそれぞれ、前記ＲＦ信号内の異なる干渉ＲＦ成分に対する接地への低インピーダンス経路を提供するように同調される、
請求項１３に記載の方法。
【請求項２７】
無線周波数（ＲＦ）受信機であって、
アンテナから受信されたＲＦ信号を増幅するための手段、ここにおいて、前記ＲＦ信号は、共通ゲート増幅回路の入力において受信され、前記ＲＦ信号は、周波数帯域内に符号化された情報を含む、と、
前記ＲＦ信号が局部発振器によってダウンコンバートされる前に、前記ＲＦ信号の干渉ＲＦ成分を接地に分路するための手段、ここにおいて、前記分路するための手段は、前記共通ゲート増幅回路の入力に結合される共振回路を含む、と
を備え、前記増幅するための手段は、前記周波数帯域をダウンコンバートするために用いられる混合回路に前記ＲＦ信号の増幅されたバージョンを提供するように構成される、
無線周波数（ＲＦ）受信機。
【請求項２８】
前記共振回路は、前記共通ゲート増幅回路内のトランジスタのソースに結合され、インダクタンスと直列に接続されるキャパシタンスを備える、
請求項２７に記載の受信機。
【請求項２９】
前記キャパシタンスおよび前記インダクタンスは、前記共振回路が、前記干渉ＲＦ成分に対応する周波数に対する接地への低インピーダンス経路を提供するように選択された値を有する、
請求項２８に記載の受信機。
【請求項３０】
前記干渉ＲＦ成分は、前記混合回路の局部発振器の高調波にある周波数を有する信号を含む、
請求項２８に記載の受信機。
【請求項３１】
前記共通ゲート増幅回路の前記入力に前記ＲＦ信号を搬送するために用いられる伝送ラインの前に、前記ＲＦ信号をフィルタリングするための手段をさらに備える、
請求項２７に記載の受信機。
【請求項３２】
前記伝送ラインの前に、前記ＲＦ信号をフィルタリングするための前記手段は、並列共振を含む、
請求項３１に記載の受信機。
【請求項３３】
前記並列共振は、前記伝送ラインをドライブする共通ソース低雑音増幅器のソース端子に設けられる、
請求項３２に記載の受信機。
【請求項３４】
前記並列共振は、入力ポートのインピーダンス整合を提供するように構成されるデジェネレイションインダクタンスと並列に接続される第２のキャパシタンスを備える、
請求項３２に記載の受信機。
【請求項３５】
前記並列共振は、分路するための前記手段によってターゲットとされた干渉ＲＦ成分とは異なる、前記ＲＦ信号内の干渉ＲＦ成分をターゲットとする、
請求項３２に記載の受信機。
【請求項３６】
前記周波数帯域は、第１の無線アクセスネットワークによって第１のキャリア上で送信され、前記干渉ＲＦ成分は、第２の無線アクセスネットワークにおいて送信される信号に関連付けられる、
請求項２７に記載の受信機。
【請求項３７】
前記第２の無線アクセスネットワークは、ワイヤレスフィデリティ（ＷｉＦｉ）ネットワークを備える、
請求項３６に記載の受信機。
【請求項３８】
前記干渉ＲＦ成分は、ＷｉＦｉネットワークから受信された帯域外ブロッカ信号を備える、
請求項３６に記載の受信機。
【請求項３９】
前記帯域外ブロッカ信号は、ＲＦキャリアの２次高調波において送信される、
請求項３８に記載の受信機。
【手続補正２】
【補正対象書類名】明細書
【補正対象項目名】００５０
【補正方法】変更
【補正の内容】
【００５０】
[0056]本明細書において説明される発明の種々の特徴は、本発明から逸脱することなく、異なるシステムにおいて実現され得る。本開示の上記の態様は例にすぎず、本発明を限定するものと解釈されるべきではないことに留意されたい。本開示の態様の説明は、例示することを意図しており、特許請求の範囲を限定することは意図していない。したがって、本教示は他のタイプの装置に容易に適用されることが可能であり、多くの代替形態、変更形態、および変形形態が当業者には明らかであろう。
以下に本願発明の当初の特許請求の範囲に記載された発明を付記する。
［Ｃ１］
低雑音増幅器であって、
伝送ラインから無線周波数（ＲＦ）信号を受信するように構成されるソースを有する金属酸化膜半導体電界効果トランジスタ（ＭＯＳＦＥＴ）を含む共通ゲート増幅回路と、
前記ＭＯＳＦＥＴの前記ソースに接続され、インダクタンスと直列に接続されるキャパシタンスを備える直列共振と
を備え、前記直列共振は、前記ＲＦ信号内の干渉ＲＦ成分に対する、接地への低インピーダンス経路を提供する、
低雑音増幅器。
［Ｃ２］
前記直列共振は、対象周波数を中心にした周波数帯域に高いインピーダンスを提供するように同調される、
Ｃ１に記載の低雑音増幅器。
［Ｃ３］
前記干渉ＲＦ成分は、前記対象周波数を中心にした前記周波数帯域外の周波数によって特徴付けられる、
Ｃ２に記載の低雑音増幅器。
［Ｃ４］
前記干渉ＲＦ成分は、前記対象周波数を中心にした前記周波数帯域内の周波数の高調波を備える、
Ｃ２に記載の低雑音増幅器。
［Ｃ５］
前記直列共振は、前記ＲＦ信号内の複数の干渉する可能性があるＲＦ成分のうちの１つをターゲットとするように同調可能である、
Ｃ２に記載の低雑音増幅器。
［Ｃ６］
前記対象周波数を中心にした前記周波数帯域は、第１の無線アクセスネットワークに関連付けられる周波数帯域に対応し、前記干渉ＲＦ成分は、第２の無線アクセスネットワークによって送信される信号を含む、
Ｃ２に記載の低雑音増幅器。
［Ｃ７］
前記第２の無線アクセスネットワークによって送信される前記信号は、前記対象周波数を中心にした前記周波数帯域内の周波数の高調波であるキャリア信号を含む、
Ｃ６に記載の低雑音増幅器。
［Ｃ８］
前記第２の無線アクセスネットワークは、ワイヤレスフィデリティ（ＷｉＦｉ（登録商標））ネットワークを備える、
Ｃ７に記載の低雑音増幅器。
［Ｃ９］
前記共通ゲート増幅回路の出力は、前記対象周波数に対応する局部発振器周波数を用いてダウンコンバートされ、前記干渉ＲＦ成分は、前記局部発振器周波数の高調波である周波数を有する信号を含む、
Ｃ２に記載の低雑音増幅器。
［Ｃ１０］
前記対象周波数を中心にした前記周波数帯域外の周波数の利得を低減するように構成される並列共振、
Ｃ２に記載の低雑音増幅器。
［Ｃ１１］
前記並列共振は、前記直列共振によってターゲットとされた干渉ＲＦ成分とは異なる、前記ＲＦ信号内の干渉ＲＦ成分をターゲットとする、
Ｃ１０に記載の低雑音増幅器。
［Ｃ１２］
前記直列共振は、前記ＭＯＳＦＥＴの前記ソースに接続される複数の直列共振のうちの１つであり、各直列共振は、前記ＲＦ信号内の異なる干渉ＲＦ成分に対する、接地への低インピーダンス経路を提供するように同調される、
Ｃ１に記載の低雑音増幅器。
［Ｃ１３］
ワイヤレス通信の方法であって、
アンテナから受信された無線周波数（ＲＦ）信号を共通ゲート増幅回路の入力に提供すること、ここにおいて、前記ＲＦ信号は、周波数帯域および干渉ＲＦ成分内に符号化された情報を含む、と、
前記干渉ＲＦ成分を、前記共通ゲート増幅回路の前記入力に結合される共振回路を通じて接地に分路することと、
前記周波数帯域を前記共通ゲート増幅回路に渡すことと
を備える、ワイヤレス通信の方法。
［Ｃ１４］
前記共振回路は、インダクタンスに直列に接続されるキャパシタンスを含む、
Ｃ１３に記載の方法。
［Ｃ１５］
前記キャパシタンスおよび前記インダクタンスは、前記共振回路が、前記干渉ＲＦ成分に対応する周波数に対する接地への低インピーダンス経路を提供するように選択された値を有する、
Ｃ１４に記載の方法。
［Ｃ１６］
前記干渉ＲＦ成分は、前記周波数帯域をダウンコンバートするために用いられる局部発振器の高調波である周波数を有する信号を含む、
Ｃ１４に記載の方法。
［Ｃ１７］
前記共振回路は、前記ＲＦ信号内の複数の干渉する可能性があるＲＦ成分のうちの１つをターゲットとするように同調可能である、
Ｃ１４に記載の方法。
［Ｃ１８］
前記アンテナから受信された前記ＲＦ信号を前記共通ゲート増幅回路の前記入力に提供することは、
電流増幅器で前記ＲＦ信号を増幅すること、ここにおいて、前記電流増幅器の出力は、伝送ラインの第１の端部に提供される、と、
前記電流増幅器内のトランジスタのソース端子に結合される並列共振を用いて前記ＲＦ信号をフィルタリングすることと
を含む、Ｃ１３に記載の方法。
［Ｃ１９］
前記共通ゲート増幅回路の前記入力は、前記伝送ラインの第２の端部に結合される、
Ｃ１８に記載の方法。
［Ｃ２０］
前記並列共振は、前記アンテナから前記ＲＦ信号を受信する入力ポートのインピーダンス整合を提供するように構成されるデジェネレイションインダクタンスと並列に接続される第２のキャパシタンスを備える、
Ｃ１９に記載の方法。
［Ｃ２１］
前記並列共振は、前記共通ゲート増幅回路の前記入力に結合される前記共振回路によってターゲットとされる干渉ＲＦ成分とは異なる、前記ＲＦ信号内の干渉ＲＦ成分をターゲットとする、
Ｃ１８に記載の方法。
［Ｃ２２］
前記周波数帯域は、第１の無線アクセスネットワークによって第１のキャリア上で送信され、前記干渉ＲＦ成分は、第２の無線アクセスネットワークにおいて送信される信号に関連付けられる、
Ｃ１３に記載の方法。
［Ｃ２３］
前記第２の無線アクセスネットワークは、ワイヤレスフィデリティ（ＷｉＦｉ）ネットワークを備える、
Ｃ２２に記載の方法。
［Ｃ２４］
前記干渉ＲＦ成分は、ＷｉＦｉネットワークから受信された帯域外ブロッカ信号を備える、
Ｃ２３に記載の方法。
［Ｃ２５］
前記帯域外ブロッカ信号は、ＲＦキャリアの２次高調波において送信される、
Ｃ２４に記載の方法。
［Ｃ２６］
複数の共振回路が、前記共通ゲート増幅回路の前記入力に結合され、前記複数の共振回路はそれぞれ、前記ＲＦ信号内の異なる干渉ＲＦ成分に対する接地への低インピーダンス経路を提供するように同調される、
Ｃ１３に記載の方法。
［Ｃ２７］
無線周波数（ＲＦ）受信機であって、
アンテナから受信されたＲＦ信号を増幅するための手段、ここにおいて、前記ＲＦ信号は、共通ゲート増幅回路の入力において受信され、前記ＲＦ信号は、周波数帯域内に符号化された情報を含む、と、
前記ＲＦ信号の干渉ＲＦ成分を接地に分路するための手段、ここにおいて、前記分路するための手段は、前記共通ゲート増幅回路の入力に結合される共振回路を含む、と
を備え、前記増幅するための手段は、前記周波数帯域をダウンコンバートするために用いられる混合回路に前記ＲＦ信号の増幅されたバージョンを提供するように構成される、
無線周波数（ＲＦ）受信機。
［Ｃ２８］
前記共振回路は、前記共通ゲート増幅回路内のトランジスタのソースに結合され、インダクタンスと直列に接続されるキャパシタンスを備える、
Ｃ２７に記載の受信機。
［Ｃ２９］
前記キャパシタンスおよび前記インダクタンスは、前記共振回路が、前記干渉ＲＦ成分に対応する周波数に対する接地への低インピーダンス経路を提供するように選択された値を有する、
Ｃ２８に記載の受信機。
［Ｃ３０］
前記干渉ＲＦ成分は、前記混合回路の局部発振器の高調波にある周波数を有する信号を含む、
Ｃ２８に記載の受信機。
［Ｃ３１］
前記共通ゲート増幅回路の前記入力に前記ＲＦ信号を搬送するために用いられる伝送ラインの前に、前記ＲＦ信号をフィルタリングするための手段をさらに備える、
Ｃ２７に記載の受信機。
［Ｃ３２］
前記伝送ラインの前に、前記ＲＦ信号をフィルタリングするための前記手段は、並列共振を含む、
Ｃ３１に記載の受信機。
［Ｃ３３］
前記並列共振は、前記伝送ラインをドライブする共通ソース低雑音増幅器のソース端子に設けられる、
Ｃ３２に記載の受信機。
［Ｃ３４］
前記並列共振は、入力ポートのインピーダンス整合を提供するように構成されるデジェネレイションインダクタンスと並列に接続される第２のキャパシタンスを備える、
Ｃ３２に記載の受信機。
［Ｃ３５］
前記並列共振は、分路するための前記手段によってターゲットとされた干渉ＲＦ成分とは異なる、前記ＲＦ信号内の干渉ＲＦ成分をターゲットとする、
Ｃ３２に記載の受信機。
［Ｃ３６］
前記周波数帯域は、第１の無線アクセスネットワークによって第１のキャリア上で送信され、前記干渉ＲＦ成分は、第２の無線アクセスネットワークにおいて送信される信号に関連付けられる、
Ｃ２７に記載の受信機。
［Ｃ３７］
前記第２の無線アクセスネットワークは、ワイヤレスフィデリティ（ＷｉＦｉ）ネットワークを備える、
Ｃ３６に記載の受信機。
［Ｃ３８］
前記干渉ＲＦ成分は、ＷｉＦｉネットワークから受信された帯域外ブロッカ信号を備える、
Ｃ３６に記載の受信機。
［Ｃ３９］
前記帯域外ブロッカ信号は、ＲＦキャリアの２次高調波において送信される、
Ｃ３８に記載の受信機。
【国際調査報告】
2016532383.tif 000010
2016532383.tif 000011
2016532383.tif 000012